(57)【要約】【課題】鉛直方向に対しアンテナを小さい角度で精度良く設定できると共に、設定した角度を長期的により安定した状態で維持することができるアンテナ取付金具を提供すること。【解決手段】腕金４にアンテナ５を鉛直方向に対し所定の角度で取付けるためのアンテナ取付金具１であって、腕金側金具１１と、アンテナ側金具１２とを備え、腕金側金具１１およびアンテナ側金具１２の横側面１１ｂ，１２ｂには、それぞれ、アンテナ５を腕金４に対し所定の角度を設定する際の回動中心となる垂直回動中心ボルト７ａが挿入される垂直回動中心ボルト孔１１ｂ１，１２ｂ１と、その垂直回動中心ボルト孔１１ｂ１，１２ｂ１に挿入された垂直回動中心ボルト７ａを中心に腕金側金具１１およびアンテナ側金具１２を相対的に回動させて鉛直方向に対しアンテナ５を複数の所定の角度に設定する複数の角度設定ボルト孔が設けられている。【選択図】図５
2015149546.tif 000002
【特許請求の範囲】
【請求項１】
腕金にアンテナを基準方向に対し所定の角度で取付けるためのアンテナ取付金具であって、
腕金に取付けられる背面板とその背面板の両側の横側面とを有する断面コ字形状の腕金側金具と、
アンテナに取付けられる背面板とその背面板の両側の横側面とを有する断面コ字形状のアンテナ側金具とを備え、
前記腕金側金具およびアンテナ側金具の横側面には、それぞれ、
アンテナを腕金に対し所定の角度を設定する際の回動中心となる垂直回動中心ボルトが挿入される垂直回動中心ボルト孔と、その垂直回動中心ボルト孔に挿入された垂直回動中心ボルトを中心に前記アンテナ側金具を回動させて基準方向に対しアンテナを複数の所定の角度に設定するための複数の角度設定ボルト孔とが形成されていることを特徴とするアンテナ取付金具。
【請求項２】
請求項１記載のアンテナ取付金具において、
前記腕金側金具およびアンテナ側金具の横側面に設けられる複数の角度設定ボルト孔は、複数列で設けられていることを特徴とするアンテナ取付金具。
【請求項３】
請求項１または請求項２記載のアンテナ取付金具において、
前記垂直回動中心ボルトおよび角度設定ボルトは、角根ボルトであり、
前記腕金側金具およびアンテナ側金具の横側面のうち内側に位置する横側面の前記垂直回動中心ボルト孔および複数の角度設定ボルト孔は、前記垂直回動中心ボルトおよび角度設定ボルトの角根部分が回転せずに嵌るように角孔形状であることを特徴とするアンテナ取付金具。
【請求項４】
請求項１〜請求項３のいずれかひとつの請求項に記載のアンテナ取付金具において、
前記腕金側金具の横側面における前記アンテナ側金具に対向する側は、
基準方向に対しアンテナを最大角度に設定した場合でも、アンテナ側金具やアンテナがその横側面に当接せず、かつ、アンテナを最大角度に設定した場合でもアンテナ側金具とアンテナとの連結部分が腕金側金具の背面板より鉛直方向で外側に突出しないように切欠したことを特徴とするアンテナ取付金具。
【発明の詳細な説明】
【技術分野】
【０００１】
本発明は、腕金にアンテナを基準方向に対し所定の角度で取付けるためのアンテナ取付金具に関する。
【背景技術】
【０００２】
腕金にアンテナを基準方向に対し所定の角度で取付けるためのアンテナ取付金具として、例えば、アンテナ側金具に垂直回動中心ボルトが挿入される垂直回動中心ボルト孔と、その垂直回動中心ボルト孔に挿入された垂直回動中心ボルトを中心にアンテナを任意の俯角に設定できるように円弧状の長孔ボルト孔とが形成されたものが提案されている（例えば、特許文献１参照。）。
【先行技術文献】
【特許文献】
【０００３】
【特許文献１】特開２００６−２１１１１０号公報
【発明の概要】
【発明が解決しようとする課題】
【０００４】
しかし、上述の特許文献１に記載のアンテナ取付金具では、円弧状の長孔ボルト孔に角度設定ボルトを挿入して任意の俯角に設定しているため、細かい俯角の設定には限度があった。
【０００５】
特に、最近は、通信会社や電話会社が増加すると共に、携帯電話や無線通信の需要が増大していると共に、高速通信が要求されているため、支柱に対するアンテナの俯角を細かく設定して、地表に対するアンテナの電波受信エリアを細かく区分する要求があり、１度や２度等の小さい角度でのアンテナの角度設定が要求されている。
【０００６】
また、アンテナを取付ける場所は支柱の上の高所になるため、常に風の影響や地面からの振動の影響などを受けており、上述の特許文献１に記載のアンテナ取付金具のように円弧状の長孔ボルト孔に角度設定ボルトを挿入して任意の俯角に設定したのでは、経時変化により角度設定ボルトを留めているナット等が緩む場合があり、アンテナの正確な設定角度を維持できない可能性もある。
【０００７】
そこで、本発明はこのような問題点に着目してなされたもので、基準方向に対しアンテナを小さい角度で精度良く設定できると共に、設定した角度を長期的により安定した状態で維持することができるアンテナ取付金具を提供することを目的とする。
【課題を解決するための手段】
【０００８】
上記課題を解決するため、本発明に係る実施形態のアンテナ取付金具は、
腕金にアンテナを基準方向に対し所定の角度で取付けるためのアンテナ取付金具であって、
腕金に取付けられる背面板とその背面板の両側の横側面とを有する断面コ字形状の腕金側金具と、
アンテナに取付けられる背面板とその背面板の両側の横側面とを有する断面コ字形状のアンテナ側金具とを備え、
前記腕金側金具およびアンテナ側金具の横側面には、それぞれ、アンテナを腕金に対し所定の角度を設定する際の回動中心となる垂直回動中心ボルトが挿入される垂直回動中心ボルト孔と、その垂直回動中心ボルト孔に挿入された垂直回動中心ボルトを中心に前記アンテナ側金具を回動させて基準方向に対しアンテナを複数の所定の角度に設定するための複数の角度設定ボルト孔とが形成されていることを特徴とする。
ここで、前記腕金側金具およびアンテナ側金具の横側面に設けられる複数の角度設定ボルト孔は、複数列で設けられていると良い。
また、前記垂直回動中心ボルトおよび角度設定ボルトは、角根ボルトであり、
前記腕金側金具およびアンテナ側金具の横側面のうち内側に位置する横側面の前記垂直回動中心ボルト孔および複数の角度設定ボルト孔は、前記垂直回動中心ボルトおよび角度設定ボルトの角根部分が回転せずに嵌るように角孔形状であるとさらに良い。
また、前記腕金側金具の横側面における前記アンテナ側金具に対向する側は、
基準方向に対しアンテナを最大角度に設定した場合でも、アンテナ側金具やアンテナがその横側面に当接せず、かつ、アンテナを最大角度に設定した場合でもアンテナ側金具とアンテナとの連結部分が腕金側金具の背面板より鉛直方向で外側に突出しないように切欠するとさらに良い。
【発明の効果】
【０００９】
本発明のアンテナ取付金具では、腕金側金具およびアンテナ側金具の横側面には、それぞれ、垂直回動中心ボルト孔と複数の角度設定ボルト孔とが形成されているため、基準方向に対しアンテナを小さい角度で精度良く設定できると共に、設定した角度を長期的により安定した状態で維持することができる。
【図面の簡単な説明】
【００１０】
【図１】本発明に係る実施形態のアンテナ取付金具を使用して腕金にアンテナを取付けた状態を示す平面図である。
【図２】本発明に係る実施形態のアンテナ取付金具を使用して腕金にアンテナを取付けた状態を示す正面図である。
【図３】本発明に係る実施形態のアンテナ取付金具を使用して腕金にアンテナを取付けた状態を示す右側面図である。
【図４】（ａ），（ｂ）それぞれ本発明に係る実施形態のアンテナ取付金具を図３に示す状態から＋９０度、−９０度だけ水平方向に回転した状態を示す右側面図である。
【図５】本発明に係る実施形態のアンテナ取付金具を使用して腕金にアンテナを取付けた状態における当該金具部分を拡大して示す拡大正面図である。
【図６】本発明に係る実施形態のアンテナ取付金具を使用して腕金にアンテナを取付けた状態における当該金具部分を拡大して示す拡大平面図である。
【図７】図６におけるＡ−Ａ線断面図である。
【図８】本発明に係る実施形態のアンテナ取付金具を使用して腕金にアンテナを取付けた状態を示す斜視図である。
【図９】本発明に係る実施形態のアンテナ取付金具を構成する腕金側金具の斜視図である。
【図１０】（ａ）〜（ｃ）それぞれ、本発明に係る実施形態のアンテナ取付金具を構成する腕金側金具の正面図、右側面図、底面図である。
【図１１】本発明に係る実施形態のアンテナ取付金具を構成するアンテナ側金具の斜視図である。
【図１２】（ａ）〜（ｃ）それぞれ、本発明に係る実施形態のアンテナ取付金具を構成する腕金側金具の正面図、左側面図、平面図である。
【図１３】本発明に係る実施形態のアンテナ取付金具を使用して腕金にアンテナを０度の角度を設定して取付けた状態を示す部分拡大平面図である。
【図１４】本発明に係る実施形態のアンテナ取付金具を使用して腕金にアンテナを１度の角度を設定して取付けた状態を示す部分拡大平面図である。
【図１５】本発明に係る実施形態のアンテナ取付金具を使用して腕金にアンテナを２度の角度を設定して取付けた状態を示す部分拡大平面図である。
【図１６】本発明に係る実施形態のアンテナ取付金具を使用して腕金にアンテナを３度の角度を設定して取付けた状態を示す部分拡大平面図である。
【図１７】本発明に係る実施形態のアンテナ取付金具を使用して腕金にアンテナを４度の角度を設定して取付けた状態を示す部分拡大平面図である。
【図１８】本発明に係る実施形態のアンテナ取付金具を使用して腕金にアンテナを５度の角度を設定して取付けた状態を示す部分拡大平面図である。
【発明を実施するための形態】
【００１１】
以下、本発明に係る実施形態のアンテナ取付金具の実施形態について、図面を参照して説明する。
【００１２】
図１〜図３は、それぞれ、本発明に係る実施形態のアンテナ取付金具１を使用して腕金４に対しアンテナ５を取付けた状態を示す平面図、正面図、右側面図である。
【００１３】
また、図４（ａ），（ｂ）は、それぞれ、実施形態のアンテナ取付金具１を図３に示す状態から＋９０度、−９０度だけ水平方向に回転した状態を示す右側面図である。
【００１４】
また、図５〜図８は、それぞれ、実施形態のアンテナ取付金具１を使用して腕金４にアンテナ５を取付けた状態における当該金具１部分を拡大して示す拡大正面図、拡大平面図、図６におけるＡ−Ａ線断面図、斜視図である。
【００１５】
また、図９〜図１０（ａ）〜（ｃ）は、それぞれ、実施形態のアンテナ取付金具１を構成する腕金側金具１１の斜視図、正面図、右側面図、底面図である。
【００１６】
また、図１１〜図１２（ａ）〜（ｃ）は、それぞれ、実施形態のアンテナ取付金具１を構成するアンテナ側金具１２の斜視図、正面図、左側面図、平面図である。
【００１７】
実施形態のアンテナ取付金具１は、図１〜図８に示すように支柱２に対し締付バンド３等を介して水平方向に張り出して取り付けられた腕金４に対してアンテナ５を取付けるためのもので、腕金側金具１１と、アンテナ側金具１２とを備えている。
【００１８】
腕金側金具１１は、図９および図１０（ａ）〜（ｃ）にも示すように、腕金４に回動可能に取付けられる背面板１１ａと、その背面板１１ａの両側の横側面１１ｂ，１１ｂとを有する断面コ字形状に形成されている。
【００１９】
背面板１１ａは、図９および図１０（ａ）〜（ｃ）にも示すように、腕金４に水平方向に回動可能に取付けるための水平回動中心ボルト孔１１ａ１が設けられている。なお、この背面板１１ａの水平回動中心ボルト孔１１ａ１と、腕金４の対応する箇所に設けられた水平回動中心ボルト孔（図示せず。）には、図１および図２に示すように水平回動中心ボルト６ａが挿入されて締結ナット６ｂにより締結される。
【００２０】
横側面１１ｂ，１１ｂには、それぞれ、アンテナ５を腕金４に対し所定の角度を設定する際の回動中心となる垂直回動中心ボルト７ａが挿入される垂直回動中心ボルト孔１１ｂ１と、その垂直回動中心ボルト孔１１ｂ１に挿入された垂直回動中心ボルト７ａを中心に腕金側金具１１に対しアンテナ側金具１２を回動させて基準方向、例えば、鉛直方向に対しアンテナ５を複数の所定の角度に設定する複数の角度設定ボルト孔１１ｂ２〜１１ｂ７とが設けられている。なお、基準方向は、鉛直方向に限るものでなく、水平方向でも基準となる方向であれば何でも良い。
【００２１】
ここで、本実施形態では、例えば、アンテナ５を腕金４に対し設定する複数の所定の角度は、複数の角度設定ボルト孔１１ｂ２〜１１ｂ７にそれぞれ角度設定ボルト８ａを挿入して、０度〜５度に１度刻みで設定できるようにしている。
【００２２】
つまり、角度設定ボルト孔１１ｂ２は０度に設定する際に角度設定ボルト８ａが挿入され、角度設定ボルト孔１１ｂ３は１度に設定する際、角度設定ボルト孔１１ｂ４は２度に設定する際、角度設定ボルト孔１１ｂ５は３度に設定する際、角度設定ボルト孔１１ｂ６は４度に設定する際、角度設定ボルト孔１１ｂ７は５度に設定する際に角度設定ボルト８ａが挿入される。
【００２３】
ここで、横側面１１ｂ，１１ｂの角度設定ボルト孔１１ｂ２〜１１ｂ７は、図９および図１０（ａ）〜（ｃ）に示すように、垂直回動中心ボルト７ａおよび角度設定ボルト８ａとして、いわゆる角根ボルトが使用できるように正方形の角孔形状に形成されている。
【００２４】
また、この横側面１１ｂ，１１ｂにおけるアンテナ側金具１２に対向する側（図１０（ａ）であれば図上右側）は、後述する図１４に示すようにアンテナ５の水平方向の突出量を小さくしてアンテナ５の自重によりこの金具１自体にかかる負荷が小さくなると共に、アンテナ側金具１２とアンテナ５との連結部分が腕金４や腕金側金具１１によって鉛直方向で常に隠れるようにすると共に、鉛直方向に対しアンテナ５を最大角度（本実施形態の場合、後述する図１８の５度である。）に設定した際、アンテナ側金具１２の後述する背面板１２ａやアンテナ５が横側面１１ｂ，１１ｂに当接せず、かつ、アンテナ５を最大角度に設定した場合でもアンテナ側金具１２とアンテナ５との連結部分（接合部分）が腕金側金具１１の背面板１１ａより鉛直方向で外側に突出しないように切欠している。
【００２５】
そのため、腕金側金具１１の側面１１ｂ，１１ｂにおけるアンテナ側金具１２に対向する側（図１０（ａ）であれば図上右側）を切欠することにより、アンテナ５の設定角度（俯角）を０度〜５度まで支障無く設定できるだけでなく、金具１自体にかかる負荷を小さくできると共に、アンテナ側金具１２とアンテナ５との連結部分が腕金４や腕金側金具１１によって鉛直方向で常に隠れるので、その連結部分における雨等による腐食も軽減でき、アンテナ４に設定した設定角度（俯角）を長期的により安定した状態で維持することができる。
【００２６】
アンテナ側金具１２は、図１１および図１２（ａ）〜（ｃ）に示すように、アンテナ５にビスやネジ等により固定される背面板１２ａと、その背面板１２ａの両側の横側面１２ｂ，１２ｂとを有する断面コ字形状に形成されている。
【００２７】
背面板１２ａは、図１１および図１２（ａ）〜（ｃ）に示すように、アンテナ５にビスやネジ等により固定するため４つの小孔１２ａ１が設けられている。
【００２８】
横側面１２ｂ，１２ｂには、それぞれ、アンテナ５を腕金４に対し所定の角度を設定する際の回動中心となる垂直回動中心ボルト７ａが挿入される垂直回動中心ボルト孔１２ｂ１と、その垂直回動中心ボルト孔１２ｂ１に挿入された垂直回動中心ボルト７ａを中心にアンテナ側金具１２およびアンテナ側金具１２を相対的に回動させて複数の所定の角度、すなわち０度〜５度に１度刻みで設定する複数の角度設定ボルト孔１２ｂ２〜１２ｂ７とが設けられている。
【００２９】
つまり、角度設定ボルト孔１２ｂ２は０度に設定する際に角度設定ボルト８ａが挿入され、角度設定ボルト孔１２ｂ３は１度に設定する際、角度設定ボルト孔１２ｂ４は２度に設定する際、角度設定ボルト孔１２ｂ５は３度に設定する際、角度設定ボルト孔１２ｂ６は４度に設定する際、角度設定ボルト孔１２ｂ７は５度に設定する際に角度設定ボルト８ａが挿入される。
【００３０】
なお、垂直回動中心ボルト７ａおよび角度設定ボルト８ａとして、いわゆる角根ボルトを使用するが、垂直回動中心ボルト７ａおよび角度設定ボルト８ａの角根部分が嵌って垂直回動中心ボルト７ａおよび角度設定ボルト８ａの回動を制止する角孔形状は、腕金側金具１１の横側面１１ｂ，１１ｂの角度設定ボルト孔１１ｂ２〜１１ｂ７側に形成したため、アンテナ側金具１２の横側面１２ｂ，１２ｂの角度設定ボルト孔１２ｂ２〜１２ｂ７は、図１１および図１２（ａ）〜（ｃ）に示すように通常の丸孔形状でも良い。
【００３１】
次に、本発明に係る実施形態のアンテナ取付金具１を使用して鉛直方向に対しアンテナ５を０度〜５度の角度で取付ける場合について説明する。なお、０度〜５度のいずれの角度でアンテナ５を取付ける場合でも、垂直回動中心ボルト７ａは、腕金側金具１１およびアンテナ側金具１２それぞれの水平回動中心ボルト孔１１ａ１および垂直回動中心ボルト孔１１ｂ１に挿入されて締結ナット７ｂによって締結される。
【００３２】
図１３は、本発明に係る実施形態のアンテナ取付金具１を使用して鉛直方向に対しアンテナ５を０度の角度を設定して取付けた状態を示す部分拡大平面図である。
【００３３】
この場合、角度設定ボルト８ａは、腕金側金具１１およびアンテナ側金具１２それぞれの０度の角度設定ボルト孔１１ａ２および垂直回動中心ボルト孔１１ｂ２に挿入されて締結ナット８ｂによって締結される。
【００３４】
図１４は、本発明に係る実施形態のアンテナ取付金具１を使用して鉛直方向に対しアンテナ５を１度の角度を設定して取付けた状態を示す部分拡大平面図である。この場合、
【００３５】
この場合、角度設定ボルト８ａは、腕金側金具１１およびアンテナ側金具１２それぞれの０度の角度設定ボルト孔１１ａ３および垂直回動中心ボルト孔１１ｂ３に挿入されて締結ナット８ｂによって締結される。
【００３６】
図１５は、本発明に係る実施形態のアンテナ取付金具１を使用して鉛直方向に対しアンテナ５を２度の角度を設定して取付けた状態を示す部分拡大平面図である。
【００３７】
この場合、角度設定ボルト８ａは、腕金側金具１１およびアンテナ側金具１２それぞれの０度の角度設定ボルト孔１１ａ４および垂直回動中心ボルト孔１１ｂ４に挿入されて締結ナット８ｂによって締結される。
【００３８】
図１６は、本発明に係る実施形態のアンテナ取付金具１を使用して鉛直方向に対しアンテナ５を３度の角度を設定して取付けた状態を示す部分拡大平面図である。
【００３９】
この場合、角度設定ボルト８ａは、腕金側金具１１およびアンテナ側金具１２それぞれの０度の角度設定ボルト孔１１ａ５および垂直回動中心ボルト孔１１ｂ５に挿入されて締結ナット８ｂによって締結される。
【００４０】
図１７は、本発明に係る実施形態のアンテナ取付金具１を使用して鉛直方向に対しアンテナ５を４度の角度を設定して取付けた状態を示す部分拡大平面図である。
【００４１】
この場合、角度設定ボルト８ａは、腕金側金具１１およびアンテナ側金具１２それぞれの４度の角度設定ボルト孔１１ａ６および垂直回動中心ボルト孔１１ｂ６に挿入されて締結ナット８ｂによって締結される。
【００４２】
図１８は、本発明に係る実施形態のアンテナ取付金具１を使用して鉛直方向に対しアンテナ５を５度の角度を設定して取付けた状態を示す部分拡大平面図である。
【００４３】
この場合、角度設定ボルト８ａは、腕金側金具１１およびアンテナ側金具１２それぞれの５度の角度設定ボルト孔１１ａ７および垂直回動中心ボルト孔１１ｂ７に挿入されて締結ナット８ｂによって締結される。
【００４４】
従って、本実施形態のアンテナ取付金具１では、腕金側金具１１の横側面１１ｂ，１１ｂには０度〜５度までの１度刻みの複数の角度設定ボルト孔１１ｂ２〜１１ｂ７を設ける一方、アンテナ側金具１２の横側面１２ｂ，１２ｂには０度〜５度までの１度刻みの複数の角度設定ボルト孔１２ｂ２〜１２ｂ７を設けたため、鉛直方向に対しアンテナ５を１度間隔で０度〜５度まで設定できると共に、設定した角度を長期的により安定した状態で維持することができる。
【００４５】
また、本実施形態のアンテナ取付金具１では、腕金側金具１１およびアンテナ側金具１２の横側面１１ｂ，１１ｂ、１２ｂ，１２ｂに設けられる複数の角度設定ボルト孔１１ｂ２〜１１ｂ７、１２ｂ２〜１２ｂ７は、２列で設けられているため、腕金側金具１１およびアンテナ側金具１２がアンテナ５の鉛直方向の長さよりも長くならず、コンパクトなサイズに収めることができると共に、アンテナ５の鉛直方向の長さがそのアンテナ５を支持しているアンテナ側金具１２の鉛直方向の長さよりも長くなることによって、地表にある携帯電話や通信端末等からの電波をアンテナ５が受信する際に、アンテナ側金具１２が障害になることを極力防止できる。
【００４６】
特に、角度設定ボルト孔を２列で設けたため、垂直回動中心ボルト孔１１ｂ１および垂直回動中心ボルト孔１２ｂ１側の角度設定ボルト孔１１ｂ２，１１ｂ４，１１ｂ６、１２ｂ２，１２ｂ４，１２ｂ６は、０度、２度、４度という偶数角度の角度設定ボルト孔になる一方、それと並設した角度設定ボルト孔１１ｂ３，１１ｂ５，１１ｂ７、１２ｂ３，１２ｂ５，１２ｂ７は、１度、３度、５度という奇数角度の角度設定ボルト孔になるので、作業者は角度設定ボルト孔の列によって直感的に偶数角度の設定と奇数角度の設定を間違えることなく設定することが可能になり、作業性や作業品質などが向上する。
【００４７】
また、垂直回動中心ボルト７ａおよび角度設定ボルト８ａは、角根ボルトであり、腕金側金具１１およびアンテナ側金具１２の横側面１１ｂ，１１ｂ、１２ｂ，１２ｂのうち内側に位置する腕金側金具１１の横側面１１ｂ，１１ｂは、その垂直回動中心ボルト孔１１ｂ１および複数の角度設定ボルト孔１１ｂ２〜１１ｂ７は、垂直回動中心ボルト７ａおよび角度設定ボルト８ａの角根部分が回転せずに嵌るように角孔形状で構成したため、外側に垂直回動中心ボルト７ａおよび角度設定ボルト８ａを締結するそれぞれ締付ナット７ｂおよび８ｂが位置することになり、作業性を向上させることができる。
【００４８】
また、本実施形態のアンテナ取付金具１では、腕金側金具１１の側面１１ｂ，１１ｂにおけるアンテナ側金具１２に対向する側を切欠することにより、アンテナ５の設定角度（俯角）を０度〜５度まで支障無く設定できるだけでなく、金具１自体にかかる負荷を小さくできると共に、アンテナ側金具１２とアンテナ５との連結部分が腕金４や腕金側金具１１によって鉛直方向で常に隠れるので、その連結部分における雨等による腐食も軽減することができる。その結果、この点でも、アンテナ４に設定した設定角度（俯角）を長期的により安定した状態で維持することができる。
【００４９】
なお、上記実施形態の説明では、アンテナ５を腕金４に対し設定する複数の所定の角度は、０度〜５度の１度刻みで設定するように説明したが、本発明では、これに限らず、５度以上設定できるように角度設定ボルト孔１１ｂ２〜１１ｂ７の数を増やしても良いし、さらに各角度設定ボルト孔１１ｂ２〜１１ｂ７の刻み角度を、０．５度や、１．５度、２度など、１度以外の角度毎に設定するようにしても勿論良い。
【符号の説明】
【００５０】
１  アンテナ取付金具
１１  腕金側金具
１１ａ  背面板
１１ａ１  水平回動中心ボルト孔
１１ｂ  横側面
１１ｂ１  垂直回動中心ボルト孔
１１ｂ２〜１１ｂ７  角度設定ボルト孔
１２  アンテナ側金具
１２ａ  背面板
１２ａ１  小孔
１２ｂ  横側面
１２ｂ１  垂直回動中心ボルト孔
１２ｂ２〜１２ｂ７  角度設定ボルト孔
２  支柱
３  締付バンド
４  腕金
５  アンテナ
【図１】
2015149546.tif 000003
【図２】
2015149546.tif 000004
【図３】
2015149546.tif 000005
【図４】
2015149546.tif 000006
【図５】
2015149546.tif 000007
【図６】
2015149546.tif 000008
【図７】
2015149546.tif 000009
【図８】
2015149546.tif 000010
【図９】
2015149546.tif 000011
【図１０】
2015149546.tif 000012
【図１１】
2015149546.tif 000013
【図１２】
2015149546.tif 000014
【図１３】
2015149546.tif 000015
【図１４】
2015149546.tif 000016
【図１５】
2015149546.tif 000017
【図１６】
2015149546.tif 000018
【図１７】
2015149546.tif 000019
【図１８】
2015149546.tif 000020